【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
記録すべきデータを変調して複数の記録変調符号を生成し、パルス状の光ビームを光ディスクに照射することによって、前記複数の記録変調符号にそれぞれ対応する長さを有する複数の記録マークおよびスペースを前記光ディスクに形成する、光学的データ記録方法であって、
前記複数の記録マークの少なくとも２つは、先頭に配置され、前記記録マークの始端部分を形成するためのファーストパルスと、最後尾に配置され、前記記録マークの終端部分を形成するためのラストパルスと、前記ファーストパルスおよび前記ラストパルスの間に配置され、前記記録マークの中央部を形成するためのマルチパルス列とを含む記録パルス列に基づいて照射される光ビームにより形成され、
前記マルチパルス列は、前記記録変調符号の基準周期Ｔよりも長いパルス周期を有し、
前記複数の記録マークは互いにＴだけ異なる長さを有し、
前記記録マークが長さにおいて２Ｔ増加するにつれて各記録パルス列のパルスの数は１つ増加し、
最短の記録マークおよび次最短の記録マークはそれぞれ１つのパルスによって構成されている、光学的データ記録方法。
【請求項２】
前記少なくとも２つの記録マークにおいて、前記ファーストパルス、前記マルチパルス列および前記ラストパルスの少なくとも１つのパルスにより生成する光ビームの照射パワーは異なっている請求項１に記載の光学的データ記録方法。
【請求項３】
前記複数の記録マークにおいて、前記ファーストパルスのパルス幅はすべて等しい、請求項１に記載の光学的データ記録方法。
【請求項４】
前記複数の記録マークにおいて、前記ラストパルスのパルス幅はすべて等しい、請求項１に記載の光学的データ記録方法。
【請求項５】
前記複数の記録マークにおいて、前記マルチパルス列のパルス幅およびパルス間隔はすべて等しい、請求項１に記載の光学的データ記録方法。
【請求項６】
前記複数の記録マークは、１つのパルスのみを含む記録パルス列に基づいて照射される光ビームにより形成される記録マークおよび、前記ファーストパルスおよび前記ラストパルスのみを含む記録パルス列に基づいて照射される光ビームにより形成される記録マークを含み、
前記記録パルス列のいずれのパルスのパルス幅は１Ｔ以上である請求項１に記載の光学的データ記録方法。
【請求項７】
前記複数の記録マークは、１つのパルスのみを含む記録パルス列に基づいて照射される光ビームにより形成される記録マークおよび、前記ファーストパルスおよび前記ラストパルスのみを含む記録パルス列に基づいて照射される光ビームにより形成される記録マークを含み、
前記記録パルス列のいずれの隣接する２つのパルスの間隔は１Ｔ以上である請求項１に記載の光学的データ記録方法。
【請求項８】
記録すべきデータを変調して複数の記録変調符号を生成し、パルス状の光ビームを光ディスクに照射することによって、前記複数の記録変調符号にそれぞれ対応する長さを有する複数の記録マークおよびスペースを前記光ディスクに形成する、光学的データ記録方法であって、
前記複数の記録マークの少なくとも２つは、先頭に配置され、前記記録マークの始端部分を形成するためのファーストパルスと、最後尾に配置され、前記記録マークの終端部分を形成するためのラストパルスと、前記ファーストパルスおよび前記ラストパルスの間に配置され、前記記録マークの中央部を形成するためのマルチパルス列とを含む記録パルス列に基づいて照射される光ビームにより形成され、
前記記録パルス列は、前記マルチパルス列が配置されたマルチパルス領域を含み、前記マルチパルス領域における前記記録パルス列の少なくとも１つのパルスの位置は、前記マルチパルス列のパルス幅を前記マルチパルス列の周期で除算したマルチパルスデューティが所定の値となるように設定されており、
前記マルチパルス列は、記録変調符号の基準周期Ｔの２倍のパルス周期を有している、光学的データ記録方法。
【請求項９】
前記マルチパルス領域は、前記マルチパルス列の先頭パルスの立ち上りのタイミングから、最後尾のパルスの立ち下りのタイミングによって規定される請求項８に記載の光学的データ記録方法。
【請求項１０】
前記マルチパルス領域は、前記ファーストパルスの立ち下りのタイミングから、前記ラストパルスの立ち上りのタイミングによって規定される請求項８に記載の光学的データ記録方法。
【請求項１１】
前記記録パルス列の先頭のパルスの立ち上りタイミングおよび前記記録パルス列の各パルスのパルス幅を設定する請求項８に記載の光学的データ記録方法。
【請求項１２】
前記ファーストパルスと前記パルス列の先頭パルスとに挟まれた先頭スペース幅と、前記マルチパルス列の最後尾パルスと前記ラストパルスとに挟まれた後尾スペース幅とがほぼ等しくなるように設定する請求項１１に記載の光学的データ記録方法。
【請求項１３】
前記複数の記録変調符号はそれぞれｎＴ（ｎは１以上の整数）で表される異なる長さを有し、前記設定される記録パルス列の少なくとも１つのパルスの位置は記録変調符号の長さによらず一定の値である請求項８に記載の光学的データ記録方法。
【請求項１４】
前記複数の記録変調符号はそれぞれｎＴ（ｎは１以上の整数）で表される異なる長さを有し、前記設定される記録パルス列の少なくとも１つのパルスの位置は、記録変調符号の長さがＴの奇数倍であるか偶数倍であるかによって異なった値に設定する請求項８に記載の光学的データ記録方法。
【請求項１５】
前記複数の記録変調符号はそれぞれｎＴ（ｎは１以上の整数）で表される異なる長さを有し、前記設定される記録パルス列の少なくとも１つのパルスの位置は、記録変調符号の長さごとに異なった値に設定する請求項８に記載の光学的データ記録方法。
【請求項１６】
前記複数の記録変調符号はそれぞれｎＴ（ｎは１以上の整数）で表される異なる長さを有し、前記複数の記録変調符号は、複数の符号群に分類され前記設定される記録パルス列の少なくとも１つのパルスの位置は、符号群ごとに異なった値に設定する請求項８に記載の光学的データ記録方法。
【請求項１７】
前記複数の記録変調符号はそれぞれｎＴ（ｎは１以上の整数）で表される異なる長さを有し、前記マルチパルスデューティを、前記記録変調符号の長さによらず一定の値に設定する請求項８に記載の光学的データ記録方法。
【請求項１８】
前記複数の記録変調符号はそれぞれｎＴ（ｎは１以上の整数）で表される異なる長さを有し、前記マルチパルスデューティを、記録変調符号の長さがＴの奇数倍であるか偶数倍であるかによって異なる値に設定する請求項８に記載の光学的データ記録方法。
【請求項１９】
前記複数の記録変調符号はそれぞれｎＴ（ｎは１以上の整数）で表される異なる長さを有し、前記マルチパルスデューティを、前記記録変調符号の長さごとに異なる値に設定する請求項８に記載の光学的データ記録方法。
【請求項２０】
前記複数の記録変調符号はそれぞれｎＴ（ｎは１以上の整数）で表される異なる長さを有し、前記複数の記録変調符号は、複数の符号群に分類され、前記マルチパルスデューティを、符号群ごとに異なった値に設定する請求項８に記載の光学的データ記録方法。
【請求項２１】
前記マルチパルスデューティを、前記記録パルス列を用いて形成した記録マークを形成し、前記形成した記録マークを再生することにより得られる再生信号の中央近傍の振幅値を評価することにより決定する請求項８に記載の光学的データ記録方法。
【請求項２２】
光ディスクを載置し、回転させるモータと、
光源を含み、前記光源から前記モータに載置された光ディスクへ光ビームを照射する光ヘッドと、
記録すべきデータを変調し、複数の記録変調符号を生成する信号処理部と、
前記光ビームを照射することにより、前記複数の記録変調符号にそれぞれ対応する長さを有する複数の記録マークを前記光ディスクに形成するために、前記光源を駆動するための複数の記録パルス列を前記複数の記録変調符号に基づいて生成する記録パルス列生成部と、
を備え、
前記複数の記録マークの少なくとも２つは、先頭に配置され、前記記録マークの始端部分を形成するためのファーストパルスと、最後尾に配置され、前記記録マークの終端部分を形成するためのラストパルスと、前記ファーストパルスおよび前記ラストパルスの間に配置され、前記記録マークの中央部を形成するためのマルチパルス列とを含む記録パルス列に基づいて照射される光ビームにより形成され、
前記マルチパルス列は、前記記録変調符号の基準周期Ｔよりも長いパルス周期を有し、
前記複数の記録マークは互いにＴだけ異なる長さを有し、
前記記録マークが長さにおいて２Ｔ増加するにつれて各記録パルス列のパルスの数は１つ増加し、
最短の記録マークおよび次最短の記録マークはそれぞれ１つのパルスによって構成されている、データ記録装置。
【請求項２３】
前記少なくとも２つの記録マークにおいて、前記ファーストパルス、前記マルチパルス列および前記ラストパルスの少なくとも１つのパルスにより生成する光ビームの照射パワーは異なっている請求項２２に記載のデータ記録装置。
【請求項２４】
前記複数の記録マークにおいて、前記ファーストパルスのパルス幅はすべて等しい、請求項２２に記載のデータ記録装置。
【請求項２５】
前記複数の記録マークにおいて、前記ラストパルスのパルス幅はすべて等しい、請求項２２に記載のデータ記録装置。
【請求項２６】
前記複数の記録マークにおいて、前記マルチパルス列のパルス幅およびパルス間隔はすべて等しい、請求項２２に記載のデータ記録装置。
【請求項２７】
前記複数の記録マークは、１つのパルスのみを含む記録パルス列に基づいて照射される光ビームにより形成される記録マークおよび、前記ファーストパルスおよび前記ラストパルスのみを含む記録パルス列に基づいて照射される光ビームにより形成される記録マークを含み、
前記記録パルス列のいずれのパルスのパルス幅は１Ｔ以上である請求項２２に記載のデータ記録装置。
【請求項２８】
前記複数の記録マークは、１つのパルスのみを含む記録パルス列に基づいて照射される光ビームにより形成される記録マークおよび、前記ファーストパルスおよび前記ラストパルスのみを含む記録パルス列に基づいて照射される光ビームにより形成される記録マークを含み、
前記記録パルス列のいずれの隣接する２つのパルスの間隔は１Ｔ以上である請求項２２に記載のデータ記録装置。
【請求項２９】
光ディスクを載置し、回転させるモータと、
光源を含み、前記光源から前記モータに載置された光ディスクへ光ビームを照射する光ヘッドと、
記録すべきデータを変調し、複数の記録変調符号を生成する信号処理部と、
前記光ビームを照射することにより、前記複数の記録変調符号にそれぞれ対応する長さを有する複数の記録マークを前記光ディスクに形成するために、前記光源を駆動するための複数の記録パルス列を前記複数の記録変調符号に基づいて生成する記録パルス列生成部と、
を備え、
前記複数の記録マークの少なくとも２つは、先頭に配置され、前記記録マークの始端部分を形成するためのファーストパルスと、最後尾に配置され、前記記録マークの終端部分を形成するためのラストパルスと、前記ファーストパルスおよび前記ラストパルスの間に配置され、前記記録マークの中央部を形成するためのマルチパルス列とを含む記録パルス列に基づいて照射される光ビームにより形成され、
前記記録パルス列は、前記マルチパルス列が配置されたマルチパルス領域を含み、前記マルチパルス領域における前記記録パルス列の少なくとも１つのパルスの位置は、前記マルチパルス列のパルス幅を前記マルチパルス列の周期で除算したマルチパルスデューティが所定の値となるように設定されており、
前記マルチパルス列は、記録変調符号の基準周期Ｔの２倍のパルス周期を有している、データ記録装置。
【請求項３０】
前記マルチパルス領域は、前記マルチパルス列の先頭パルスの立ち上りのタイミングから、最後尾のパルスの立ち下りのタイミングによって規定される請求項２９に記載のデータ記録装置。
【請求項３１】
前記マルチパルス領域は、前記ファーストパルスの立ち下りのタイミングから、前記ラストパルスの立ち上りのタイミングによって規定される請求項２９に記載のデータ記録装置。
【請求項３２】
前記記録パルス列の先頭のパルスの立ち上りタイミングおよび前記記録パルス列の各パルスのパルス幅を設定する請求項２９に記載のデータ記録装置。
【請求項３３】
前記ファーストパルスと前記パルス列の先頭パルスとに挟まれた先頭スペース幅と、前記マルチパルス列の最後尾パルスと前記ラストパルスとに挟まれた後尾スペース幅とがほぼ等しくなるように設定する請求項３２に記載のデータ記録装置。
【請求項３４】
前記複数の記録変調符号はそれぞれｎＴ（ｎは１以上の整数）で表される異なる長さを有し、前記設定される記録パルス列の少なくとも１つのパルスの位置は記録変調符号の長さによらず一定の値である請求項２９に記載のデータ記録装置。
【請求項３５】
前記複数の記録変調符号はそれぞれｎＴ（ｎは１以上の整数）で表される異なる長さを有し、前記設定される記録パルス列の少なくとも１つのパルスの位置は、記録変調符号の長さがＴの奇数倍であるか偶数倍であるかによって異なった値に設定する請求項２９に記載のデータ記録装置。
【請求項３６】
前記複数の記録変調符号はそれぞれｎＴ（ｎは１以上の整数）で表される異なる長さを有し、前記設定される記録パルス列の少なくとも１つのパルスの位置は、記録変調符号の長さごとに異なった値に設定する請求項２９に記載のデータ記録装置。
【請求項３７】
前記複数の記録変調符号はそれぞれｎＴ（ｎは１以上の整数）で表される異なる長さを有し、前記複数の記録変調符号は、複数の符号群に分類され前記設定される記録パルス列の少なくとも１つのパルスの位置は、符号群ごとに異なった値に設定する請求項２９に記載のデータ記録装置。
【請求項３８】
前記複数の記録変調符号はそれぞれｎＴ（ｎは１以上の整数）で表される異なる長さを有し、前記マルチパルスデューティを、前記記録変調符号の長さによらず一定の値に設定する請求項２９に記載のデータ記録装置。
【請求項３９】
前記複数の記録変調符号はそれぞれｎＴ（ｎは１以上の整数）で表される異なる長さを有し、前記マルチパルスデューティを、記録変調符号の長さがＴの奇数倍であるか偶数倍であるかによって異なる値に設定する請求項２９に記載のデータ記録装置。
【請求項４０】
前記複数の記録変調符号はそれぞれｎＴ（ｎは１以上の整数）で表される異なる長さを有し、前記マルチパルスデューティを、前記記録変調符号の長さごとに異なる値に設定する請求項２９に記載のデータ記録装置。
【請求項４１】
前記複数の記録変調符号はそれぞれｎＴ（ｎは１以上の整数）で表される異なる長さを有し、前記複数の記録変調符号は、複数の符号群に分類され、前記マルチパルスデューティを、符号群ごとに異なった値に設定する請求項２９に記載のデータ記録装置。
【請求項４２】
前記マルチパルスデューティを、前記記録パルス列を用いて形成した記録マークを形成し、前記形成した記録マークを再生することにより得られる再生信号の中央近傍の振幅値を評価することにより決定する請求項２９に記載のデータ記録装置。
【請求項４３】
データを変調して複数の記録変調符号を生成し、パルス状の光ビームを前記データ記録媒体に照射し、前記複数の記録変調符号にそれぞれ対応する長さを有する複数の記録マークおよびスペースを前記データ記録媒体に形成することによって、データが記録されるデータ記録媒体であって、
前記データ記録媒体は、ディスク情報領域をその内周近傍に備え、
前記ディスク情報領域は、前記記録マークの構成に関する情報および記録マークを形成するための光ビームの照射に関する情報の少なくとも一方が記録される領域を含み、
前記複数の記録マークの少なくとも２つは、先頭に配置され、前記記録マークの始端部分を形成するためのファーストパルスと、最後尾に配置され、前記記録マークの終端部分を形成するためのラストパルスと、前記ファーストパルスおよび前記ラストパルスの間に配置され、前記記録マークの中央部を形成するためのマルチパルス列とを含む記録パルス列に基づいて照射される光ビームにより形成され、
前記マルチパルス列は、前記記録変調符号の基準周期Ｔよりも長いパルス周期を有し、
前記複数の記録マークは互いにＴだけ異なる長さを有し、
前記記録マークが長さにおいて２Ｔ増加するにつれて各記録パルス列のパルスの数は１つ増加し、
最短の記録マークおよび次最短の記録マークはそれぞれ１つのパルスによって構成されている、データ記録媒体。
【請求項４４】
ファーストパルス、ラストパルス、およびマルチパルスの照射開始位置情報、照射幅情報、照射終了情報および照射パワー情報の少なくとも１つが前記領域に記録されている請求項４３に記載のデータ記録媒体。
【請求項４５】
データを変調して複数の記録変調符号を生成し、パルス状の光ビームを前記データ記録媒体に照射し、前記複数の記録変調符号にそれぞれ対応する長さを有する複数の記録マークおよびスペースを前記データ記録媒体に形成することによって、データが記録されるデータ記録媒体であって、
前記データ記録媒体は、ディスク情報領域をその内周近傍に備え、
前記ディスク情報領域は、前記記録マークの構成に関する情報および記録マークを形成するための光ビームの照射に関する情報の少なくとも一方が記録される領域を含み、
前記複数の記録マークの少なくとも２つは、先頭に配置され、前記記録マークの始端部分を形成するためのファーストパルスと、最後尾に配置され、前記記録マークの終端部分を形成するためのラストパルスと、前記ファーストパルスおよび前記ラストパルスの間に配置され、前記記録マークの中央部を形成するためのマルチパルス列とを含む記録パルス列に基づいて照射される光ビームにより形成され、
前記記録パルス列は、前記マルチパルス列が配置されたマルチパルス領域を含み、前記マルチパルス領域における前記記録パルス列の少なくとも１つのパルスの位置は、前記マルチパルス列のパルス幅を前記マルチパルス列の周期で除算したマルチパルスデューティが所定の値となるように設定されており、
前記マルチパルス列は、記録変調符号の基準周期Ｔの２倍のパルス周期を有している、データ記録媒体。
【請求項４６】
ファーストパルス、ラストパルス、およびマルチパルスの照射開始位置情報、照射幅情報、照射終了情報および照射パワー情報の少なくとも１つが前記領域に記録されている請求項４５に記載のデータ記録媒体。